(57)【要約】【課題】居住者に、火災警報器が行った自己診断の結果を確実に通知する。【解決手段】火災警報器１が行った自己診断の結果を記憶部３３に保存しておき、通話部３１によるドアホン子器２との通話中又は通話後に、保存しておいた診断結果を記憶部３３から読み出し、読み出した診断結果を表示メッセージ３ｅとして表示部３５に表示させる。【選択図】図１
2010010941.tif 000002
【特許請求の範囲】
【請求項１】
ドアホン子器と通話する通話手段と、
火災警報器が行った自己診断の結果を当該火災警報器から受信する受信手段と、
前記受信手段により受信された診断結果を記憶する記憶手段と、
前記通話手段によるドアホン子器との通話中又は通話後に前記記憶手段により記憶された診断結果を通知する通知手段と
を備えたことを特徴とするインターホン親機。
【請求項２】
前記通知手段は、前記記憶手段により記憶された診断結果のうち異常のみを通知することを特徴とする請求項１に記載のインターホン親機。
【発明の詳細な説明】
【技術分野】
【０００１】
本発明は、火災警報器が行った自己診断の結果を居住者に通知するインターホン親機に関する。
【背景技術】
【０００２】
従来、自己診断機能を有する火災警報器を備えたインターホンシステムでは、火災警報器が行った自己診断の結果をインターホン親機に保存しておき、当該インターホン親機において所定の操作が行われたときに保存しておいた診断結果を居住者に通知している（たとえば、特許文献１参照）。
【特許文献１】特開平８−０７０３６１号公報
【発明の開示】
【発明が解決しようとする課題】
【０００３】
しかしながら、上記のようなインターホンシステムでは、インターホン親機において所定の操作が行われない限り火災警報器の診断結果を通知しないので、自己診断によって異常が検出された火災警報器が居住者に通知されることなく放置されてしまうという問題がある。
【０００４】
本発明は、上記の事情に鑑みてなされたものであり、その目的とするところは、居住者に、火災警報器が行った自己診断の結果を確実に通知することができるインターホン親機を提供することにある。
【課題を解決するための手段】
【０００５】
本発明に係るインターホン親機は、上記の課題を解決するために、ドアホン子器と通話する通話手段と、火災警報器が行った自己診断の結果を当該火災警報器から受信する受信手段と、受信手段により受信された診断結果を記憶する記憶手段と、通話手段によるドアホン子器との通話中又は通話後に記憶手段により記憶された診断結果を通知する通知手段とを備えたことを特徴とする。
【０００６】
また、本発明に係るインターホン親機は、上記に加えて、通知手段は、記憶手段により記憶された診断結果のうち異常のみを通知することを特徴とする。
【発明の効果】
【０００７】
本発明に係るインターホン親機によれば、ドアホン子器との通話中又は通話後に、火災警報器が行った自己診断の結果が通知されるので、居住者に、火災警報器の診断結果を確実に通知することができる。
【０００８】
また、本発明に係るインターホン親機によれば、火災警報器の診断結果のうち異常のみが通知されるので、診断結果の通知によって居住者に与える煩わしいさを軽減することができる。
【発明を実施するための最良の形態】
【０００９】
以下、本発明の一実施形態となるインターホン親機について図面を参照しながら説明する。
【００１０】
本発明の一実施形態に係るインターホンシステムは、集合住宅や一般住宅などの建物に設置されるものであり、図１に示すように、建物の屋内に設置される単数又は複数の火災警報器１と、建物の玄関口付近に設置されるドアホン子器２と、建物の屋内に設置されるインターホン親機３とで構成されている。
【００１１】
火災警報器１は、設置場所で起きた火災を検出して居住者に警報するものであって、火災検出部などが故障していないかどうかを定期的に診断する自己診断機能を有しており、インターホン親機３に診断結果を送信する。この火災警報器１としては、たとえば、熱式又は煙式の住宅用火災警報器が用いられる。
【００１２】
ドアホン子器２は、マイクロホンやスピーカーなどを備えており、インターホン親機３からの音声信号を受信して音声出力するとともに、音声入力を音声信号に変換してインターホン親機３に送信する。また、ドアホン子器２は、ＣＣＤ（Charge Coupled Device）イメージセンサーやＣＭＯＳ（Complementary Metal Oxide Semiconductor）イメージセンサーなどで構成されたカメラを当該ドアホン子器２の前面に備えており、音声信号の送受信と同時に、インターホン親機３に撮像した動画像を映像信号として送信する。すなわち、ドアホン子器２は、インターホン親機３とテレビ通話が可能な構成となっている。
【００１３】
インターホン親機３は、本発明の第１実施形態となるものであり、図１に示すように、通話部３１と、受信部３２と、記憶部３３と、操作部３４と、表示部３５と、制御部３６とで構成されている。
【００１４】
通話部３１は、図５又は６に示す、当該インターホン親機３の前面に設けられたマイクロホン３ａやスピーカー３ｂなどで構成されており、ドアホン子器２からの音声信号を受信して音声出力するとともに、音声入力を音声信号に変換してドアホン子器２に送信する。また、通話部３１は、ドアホン子器２からの映像信号を受信して表示部３５に出力する。
【００１５】
受信部３２は、火災警報器１からの診断結果を受信する。
【００１６】
記憶部３３は、半導体メモリなどで構成されており、火災警報器１の診断結果を記憶する。
【００１７】
操作部３４は、当該インターホン親機３の前面に設けられており、図５又は６に示すような、ドアホン子器２との通話を開始及び終了するための通話ボタン３ｃを備えている。
【００１８】
表示部３５は、図５又は６に示す、当該インターホン親機３の前面に設けられた液晶ディスプレー３ｄなどで構成されており、火災警報器１の診断結果を表示メッセージ３ｅとして表示する。また、表示部３５は、ドアホン子器２の映像信号を映像として表示する。
【００１９】
制御部３６は、火災警報器１の診断結果を記憶部３３に保存する。また、制御部３６は、通話部３１によるドアホン子器２との通話中又は通話後に、保存した診断結果を記憶部３３から読み出し、読み出した診断結果を表示メッセージ３ｅとして表示部３５に表示させる。なお、制御部３６は、操作部３４における操作に応じて通話部３１によるドアホン子器２との通話を開始又は終了する。
【００２０】
つぎに、第１実施形態における火災警報器１の診断結果を記憶する記憶処理について図２を用いて説明する。
【００２１】
記憶処理は、インターホン親機３の電源がオンされて初期動作が完了したタイミングで開始され、記憶処理は、ステップＳ１０１に進む。
【００２２】
ステップＳ１０１では、制御部３６が、火災警報器１からの診断結果を受信部３２が受信したか否かを判断し、記憶処理は、火災警報器１からの診断結果を受信部３２が受信したタイミングでステップＳ１０２に進む。
【００２３】
ステップＳ１０２では、制御部３６が、受信部３２により受信された診断結果を記憶部３３に保存し、記憶処理は、ステップＳ１０１に戻る。これにより、記憶部３３には、火災警報器１から定期的に送信される最新の診断結果が絶えず保存されることになる。
【００２４】
つぎに、第１実施形態における火災警報器１の診断結果を表示する表示処理について図３を用いて説明する。
【００２５】
表示処理は、制御部３６が、火災警報器１の診断結果を記憶部３３に保存したタイミングで開始され、表示処理は、ステップＳ２０１に進む。
【００２６】
ステップＳ２０１では、制御部３６が、操作部３４の通話ボタン３ｃが押されたか否かを判断し、表示処理は、操作部３４の通話ボタン３ｃが押されたタイミングでステップＳ２０２に進む。
【００２７】
ステップＳ２０２では、制御部３６が、通話部３１によるドアホン子器２との通話を開始し、表示処理は、ステップＳ２０３に進む。
【００２８】
ステップＳ２０３では、制御部３６が、火災警報器１の診断結果を記憶部３３から読み出し、表示処理は、ステップＳ２０４に進む。
【００２９】
ステップＳ２０４では、制御部３６が、読み出した診断結果が正常であるか否かを判断し、診断結果が正常であった場合には、表示処理は、ステップＳ２０５に進む。
【００３０】
ステップＳ２０５では、制御部３６が、火災警報器１が正常に動作している旨の表示メッセージ３ｅを表示部３５に所定時間表示させ、表示処理は、ステップＳ２０７に進む。具体的には、図５（ａ）に示すような態様でインターホン親機３の画面上に表示メッセージ３ｅが表示される。なお、このステップＳ２０５は省略しても良く、この場合には、診断結果が異常であった場合にのみ表示メッセージ３ｅが表示されることになり、居住者の注意を不必要に喚起することがなくなる。
【００３１】
一方、ステップＳ２０４において診断結果が異常であった場合には、表示処理は、ステップＳ２０６に進む。
【００３２】
ステップＳ２０６では、制御部３６が、火災警報器１で故障が発生した旨の表示メッセージ３ｅを表示部３５に所定時間表示させ、表示処理は、ステップＳ２０７に進む。具体的には、図５（ｂ）に示すような態様でインターホン親機３の画面上に表示メッセージ３ｅが表示される。
【００３３】
ステップＳ２０７では、制御部３６が、操作部３４の通話ボタン３ｃが押されたか否かを判断し、表示処理は、操作部３４の通話ボタン３ｃが押されたタイミングでステップＳ２０８に進む。
【００３４】
ステップＳ２０８では、制御部３６が、通話部３１によるドアホン子器２との通話を終了し、表示処理は、ステップＳ２０１に戻る。
【００３５】
以上の説明から明らかなように、本発明の第１実施形態によれば、制御部３６が、火災警報器１が行った自己診断の結果を記憶部３３に保存し、通話部３１によるドアホン子器２との通話中に、保存した診断結果を記憶部３３から読み出し、読み出した診断結果を表示メッセージ３ｅとして表示部３５に表示させるので、居住者に、火災警報器１の診断結果を確実に通知することができる。
【００３６】
また、本発明の第１実施形態によれば、読み出した診断結果が正常であるか否かを判断し、診断結果が異常であった場合にのみ表示メッセージ３ｅを表示部３５に表示させることもできるので、診断結果の通知によって居住者に与える煩わしいさを軽減することができる。
【００３７】
つぎに、第２実施形態における火災警報器１の診断結果を表示する表示処理について図４を用いて説明する。なお、第２実施形態の構成及び記憶処理については第１実施形態と同様であるので説明を省略する。
【００３８】
表示処理は、制御部３６が、火災警報器１の診断結果を記憶部３３に保存したタイミングで開始され、表示処理は、ステップＳ３０１に進む。
【００３９】
ステップＳ３０１では、制御部３６が、操作部３４の通話ボタン３ｃが押されたか否かを判断し、表示処理は、操作部３４の通話ボタン３ｃが押されたタイミングでステップＳ３０２に進む。
【００４０】
ステップＳ３０２では、制御部３６が、通話部３１によるドアホン子器２との通話を開始し、表示処理は、ステップＳ３０３に進む。
【００４１】
ステップＳ３０３では、制御部３６が、操作部３４の通話ボタン３ｃが押されたか否かを判断し、表示処理は、操作部３４の通話ボタン３ｃが押されたタイミングでステップＳ３０４に進む。
【００４２】
ステップＳ３０４では、制御部３６が、通話部３１によるドアホン子器２との通話を終了し、表示処理は、ステップＳ３０５に進む。
【００４３】
ステップＳ３０５では、制御部３６が、火災警報器１の診断結果を記憶部３３から読み出し、表示処理は、ステップＳ３０６に進む。
【００４４】
ステップＳ３０６では、制御部３６が、読み出した診断結果が正常であるか否かを判断し、診断結果が正常であった場合には、表示処理は、ステップＳ３０７に進む。
【００４５】
ステップＳ３０７では、制御部３６が、火災警報器１が正常に動作している旨の表示メッセージ３ｅを表示部３５に所定時間表示させ、表示処理は、ステップＳ３０１に戻る。具体的には、図６（ａ）に示すような態様でインターホン親機３の画面上に表示メッセージ３ｅが表示される。なお、このステップＳ３０７は第１実施形態と同様に省略しても良く、この場合には、診断結果が異常であった場合にのみ表示メッセージ３ｅが表示されることになり、居住者の注意を不必要に喚起することがなくなる。
【００４６】
一方、ステップＳ３０６において診断結果が異常であった場合には、表示処理は、ステップＳ３０８に進む。
【００４７】
ステップＳ３０８では、制御部３６が、火災警報器１で故障が発生した旨の表示メッセージ３ｅを表示部３５に所定時間表示させ、表示処理は、ステップＳ３０１に戻る。具体的には、図６（ｂ）に示すような態様でインターホン親機３の画面上に表示メッセージ３ｅが表示される。
【００４８】
以上の説明から明らかなように、本発明の第２実施形態によれば、制御部３６が、火災警報器１が行った自己診断の結果を記憶部３３に保存し、通話部３１によるドアホン子器２との通話後に、保存した診断結果を記憶部３３から読み出し、読み出した診断結果を表示メッセージ３ｅとして表示部３５に表示させるので、居住者に、火災警報器１の診断結果を確実に通知することができる。なお、上記の第１実施形態及び第２実施形態では、読み出した診断結果を表示メッセージ３ｅとして表示部３５に表示させることで火災警報器１の診断結果を居住者に通知する構成としたが、これに限らず、火災警報器１の診断結果を音声メッセージとして音声出力する音声出力部を設け、読み出した診断結果を音声メッセージとしてこの音声出力部に音声出力させることで火災警報器１の診断結果を居住者に通知する構成としても良い。この場合においても、上記の第１実施形態及び第２実施形態と同様の効果を奏することができる。
【００４９】
以上、本発明者によってなされた発明を適用した一実施形態について説明したが、この実施形態による開示の一部をなす論述及び図面により本発明が限定されることはない。すなわち、上記の実施形態に基づいて当業者によってなされる、ほかの実施形態、運用技術、及び実施例などは本発明の範囲にすべて含まれることを付け加えておく。
【図面の簡単な説明】
【００５０】
【図１】本発明の実施形態に係るインターホンシステムの構成及び本発明の第１実施形態となるインターホン親機の構成を示すブロック図である。
【図２】本発明の第１実施形態における火災警報器の診断結果を記憶する記憶処理を示すフローチャートである。
【図３】本発明の第１実施形態における火災警報器の診断結果を表示する表示処理を示すフローチャートである。
【図４】本発明の第２実施形態における火災警報器の診断結果を表示する表示処理を示すフローチャートである。
【図５】（ａ）通話中のインターホン親機の画面上に表示される表示メッセージ（正常）を示す例示図、（ｂ）通話中のインターホン親機の画面上に表示される表示メッセージ（故障）を示す例示図である。
【図６】（ａ）通話後のインターホン親機の画面上に表示される表示メッセージ（正常）を示す例示図、（ｂ）通話後のインターホン親機の画面上に表示される表示メッセージ（故障）を示す例示図である。
【符号の説明】
【００５１】
１  火災警報器
２  ドアホン子器
３  インターホン親機
３１  通話部（通話手段）
３２  受信部（受信手段）
３３  記憶部（記憶手段）
３４  操作部（通知手段）
３５  表示部（通知手段）
３６  制御部（通知手段）
３ａ  マイクロホン
３ｂ  スピーカー
３ｃ  通話ボタン
３ｄ  液晶ディスプレー
３ｅ  表示メッセージ
【図１】
2010010941.tif 000003
【図２】
2010010941.tif 000004
【図３】
2010010941.tif 000005
【図４】
2010010941.tif 000006
【図５】
2010010941.tif 000007
【図６】
2010010941.tif 000008